(57)【要約】【課題】  冷却貯蔵庫のトップテーブルに打痕が生じる不都合を極力回避すると共に、冷却器における冷却効率の改善を図る。【解決手段】  前面に開口する断熱箱体４と、この断熱箱体４の側方に構成された機械室と、これら断熱箱体４及び機械室の上面を覆って設けられたトップテーブル８と、断熱箱体４側面の機械室２２内上部に設けられた断熱性の冷却器箱体３６とを備え、この冷却器箱体３６内に設けた冷却器１２により断熱箱体４内を冷却して成る冷却貯蔵庫１において、クッション材４５を、冷却器箱体３６とトップテーブル８間の空間を埋めるかたちでそれらの間に介設する。【選択図】      図３
2005156118.tif 000002
【特許請求の範囲】
【請求項１】
前面に開口する断熱箱体と、該断熱箱体の側方に構成された機械室と、これら断熱箱体及び機械室の上面を覆って設けられたトップテーブルと、前記断熱箱体側面の前記機械室内上部に設けられた断熱性の冷却器箱体とを備え、該冷却器箱体内に設けた冷却器により前記断熱箱体内を冷却して成る冷却貯蔵庫において、
クッション材を、前記冷却器箱体と前記トップテーブル間の空間を埋めるかたちでそれらの間に介設したことを特徴とする冷却貯蔵庫。
【請求項２】
前記クッション材は断熱材であることを特徴とする請求項１の冷却貯蔵庫。
【請求項３】
前記クッション材の厚さ寸法は、前記冷却器箱体とトップテーブル間の空間の高さ方向の寸法より大きいことを特徴とする請求項１又は請求項２の冷却貯蔵庫。
【発明の詳細な説明】
【技術分野】
【０００１】
本発明は、前面に開口する断熱箱体と、この断熱箱体の側方に形成された機械室と、これら断熱箱体及び機械室の上面を覆って設けられたトップテーブルと、断熱箱体側面の機械室内上部に設けられた断熱性の冷却器箱体とを備える冷却貯蔵庫に関するものである。
【背景技術】
【０００２】
従来よりホテルやレストランなどの厨房においては、所謂アンダーカウンター型と称される業務用の冷却貯蔵庫が用いられている。係る冷却貯蔵庫は、前面に開口し、横長の断熱箱体内に貯蔵室が構成されており、断熱箱体の側壁には矩形状の開口部が形成されている。また、断熱箱体の側壁側の側方には機械室が構成されており、この機械室内底部に冷却装置に含まれる圧縮機や凝縮器などが据え付けられている。そして、機械室内上部には前記開口部を塞ぐかたちで断熱性の冷却器箱体が固定され、この冷却器箱体内には冷却装置を構成する冷却器や送風機が収納されている。
【０００３】
そして、この冷却器箱体は前述の断熱箱体４に形成された開口部を介して貯蔵室内に連通しており、冷却器により冷却された冷気が送風機によって貯蔵室に送風される構成とされている（例えば、特許文献１参照）。
【特許文献１】特開平２−２３３９６２号公報
【発明の開示】
【発明が解決しようとする課題】
【０００４】
一方、断熱箱体の上面（天面）には、当該断熱箱体の上面を覆うトップテーブルが設けられている。このトップテーブルは作業台として使用されるものであり、ステンレス製の薄板にて構成されている。係るトップテーブルは当該断熱箱体の側方に設けられた機械室の上方まで渡って延在しており、機械室内の冷却器箱体とトップテーブル間には硬質の薄い断熱板が設けられていため、トップテーブル上に載せる物の熱が冷却器箱体に伝わり易く、冷却器による冷却効率が低下する恐れがあった。
【０００５】
また、従来トップテーブルと冷却器箱体との間に設けられていた断熱板ではトップテーブル上から荷重がかかった場合にそれを吸収できず、トップテーブルが撓んだり、打痕が残ると云った問題も生じていた。
【課題を解決するための手段】
【０００６】
即ち、本発明の冷却貯蔵庫では、前面に開口する断熱箱体と、この断熱箱体の側方に構成された機械室と、これら断熱箱体及び機械室の上面を覆って設けられたトップテーブルと、断熱箱体側面の機械室内上部に設けられた断熱性の冷却器箱体とを備え、この冷却器箱体内に設けた冷却器により断熱箱体内を冷却して成るものであって、クッション材を、冷却器箱体とトップテーブル間の空間を埋めるかたちでそれらの間に介設したものである。
【０００７】
請求項２の発明の冷却貯蔵庫では、上記発明に加えてクッション材は断熱材であることを特徴とするものである。
【０００８】
請求項３の発明の冷却貯蔵庫では、上記各発明に加えてクッション材の厚さ寸法は、冷却器箱体とトップテーブル間の空間の高さ方向の寸法より大きいことを特徴とするものである。
【発明の効果】
【０００９】
本発明によれば、前面に開口する断熱箱体と、この断熱箱体の側方に構成された機械室と、これら断熱箱体及び機械室の上面を覆って設けられたトップテーブルと、断熱箱体側面の機械室内上部に設けられた断熱性の冷却器箱体とを備え、この冷却器箱体内に設けた冷却器により断熱箱体内を冷却して成る冷却貯蔵庫において、クッション材を、冷却器箱体とトップテーブル間の空間を埋めるかたちでそれらの間に介設したので、トップテーブルに多量の荷重が加わった場合であっても、クッション材のクッション性によりこの荷重や衝撃を吸収できるようになる。
【００１０】
これにより、トップテーブルが撓んだり、トップテーブルに打痕が生じる不都合を極力回避することが出来るので、当該冷却貯蔵庫の耐久性を向上させることができるようになる。
【００１１】
請求項２の発明によれば、上記発明に加えてクッション材は断熱材であるので、トップテーブル上に載せられたものの熱が冷却器箱体に影響し難くなる。
【００１２】
これにより、冷却器箱体内の冷却器による冷却効率の改善を図ることができるようになる。
【００１３】
請求項３の発明によれば、上記各発明に加えてクッション材の厚さ寸法は、冷却器箱体とトップテーブル間の空間の高さ方向の寸法より大きいので、衝撃吸収性や断熱性の更なる向上を図ることができるようになる。
【発明を実施するための最良の形態】
【００１４】
本発明は、係る従来技術を解決するために、トップテーブルに打痕が生じる不都合を極力回避すると共に、冷却器における冷却効率の改善を図ることができる冷却貯蔵庫を提供することを目的とする。以下に図面に基づき本発明の実施形態を詳述する。
【００１５】
図１は本発明を適用した冷却貯蔵庫１の正面図、図２は冷却貯蔵庫１の縦断正面図をそれぞれ示している。実施例の冷却貯蔵庫１は、ホテルやレストランの厨房に据え付けられる所謂アンダーカウンター型の冷蔵庫であり、前面に開口を有する縦長の断熱箱体４により本体が構成されている。断熱箱体４の内部には食品を収納する貯蔵室６が構成されており、この貯蔵室６の前面開口は二枚の観音開き式の断熱扉７Ａ、７Ｂによって開閉自在に閉塞されている。
【００１６】
また、断熱箱体４の一側面上部は開口し、この開口を塞ぐかたちで冷却器箱体３６が取り付けられている。この冷却器箱体３６は後述する機械室２２内上部に設けられており、係る冷却箱体３６には前記貯蔵室６に連通する冷却室１１が構成され、この冷却室１１
内には冷却装置の冷媒回路を構成する冷却器１２と送風機１３が配設されている。
【００１７】
この冷却室１１と貯蔵室６はステンレス若しくは塗装鋼板性のダクト板１４により仕切られており、このダクト板１４内は冷却室１１内の送風機１３部分にて仕切板により吐出ダクト１９と吸込ダクト２６に仕切られている。そして、この吸込ダクト２６には複数の吸込口１７・・が形成されている。
【００１８】
ダクト板１４の上部には冷却室１１側から断熱箱体４の天壁４Ｂ下面を貯蔵室６の略中央まで延在する延在部１４Ａが形成されており、この延在部１４Ａ内に前記吐出ダクト１９が構成される。延在部１４Ａは断熱箱体４の天壁４Ｂから背壁に渡って取り付けられており、その下面には吹出口１６が形成され、且つ、延在部１４Ａの端部は貯蔵室６内に開放してここを吐出口２１としている。
【００１９】
一方、前記断熱箱体４の側方には前述した機械室２２が構成されており、この機械室２２内底部に前記冷却器１２と共に冷却装置の冷媒回路を構成する圧縮機２３や凝縮器２５等が設置されている。また、この機械室２２内上部には前記断熱箱体４の一側面に取り付けられた前記冷却器箱体３６が設けられている。
【００２０】
そして、この機械室２２の前面は、グリル２４及びコントロール部２８を有したコントロールパネル２７にて開閉自在に閉塞されている。また、２９は断熱箱体４の底面に接続されたドレンパイプである。
【００２１】
ここで、断熱箱体４の天壁４Ｂ上には当該断熱箱体４の上面を覆うステンレス板から成るトップテーブル８が取り付けられており、このトップテーブル８が料理の調整を行う作業台となるものである。係るトップテーブル８は断熱箱体４の側方に設けられた機械室２２の上方まで渡って延在している。即ち、トップテーブル８は断熱箱体４及び機械室２２の上面を覆うように取り付けられている。
【００２２】
また、前記冷却器箱体３６とトップテーブル８の間には、図３に示す如く冷却器箱体３６とトップテーブル８間に形成された空間を埋めるかたちでクッション材４５が介設されている。このクッション材４５は図４乃至図６に示す如く縦長矩形状を呈しており、発泡ポリウレタン等のクッション性を有した断熱材にて構成されている。この厚さ寸法は、冷却器箱体３６とトップテーブル８間の空間の高さ寸法より大きいものとされている。
【００２３】
そして、このクッション材４５を冷却器箱体３６とトップテーブル８間の空間に充填する、若しくは、予め形成されたクッション材４５を空間に押し詰めることで、係る空間を埋めるものとしている。
【００２４】
ここで、従来では図７乃至図１０に示すような断熱板７０が冷却器箱体３６とトップテーブル８間に設けられていた。尚、図７は冷却器箱体３６とトップテーブル８間に介設された断熱板７０の拡大図、図８は断熱板７０の平面図、図９は断熱板７０の側面図、図１０は断熱板７０の正面図をそれぞれ示している。従来の断熱板７０は硬質の断熱材から成る板材７４とゲタ材７２、７２にて構成されており、その高さ寸法は冷却器箱体３６とトップテーブル８間の空間より小さいものであった。そのため、この断熱板７０を冷却器箱体３６とトップテーブル８の間に取り付けた場合、トップテーブル８上から荷重がかかってもその衝撃を吸収することができず、トップテーブル８が撓んだり打痕が生じると云った不都合が生じていた。
【００２５】
また、このような断熱板７０では断熱効果が低いため、トップテーブル８上に熱いものが置かれると、多量の熱が冷却器箱体３６まで伝達してしまい、冷却効果が悪化する。更に、断熱板７０を冷却器箱体３６とトップテーブル８間に取り付ける際には、当該断熱板７０がずれたり、脱落する不都合を防ぐために、金属などの固定具７６を用いて固定する必要があり、そのため、生産コストが増大すると云った問題も生じていた。
【００２６】
しかしながら、本発明のクッション材４５は、冷却器箱体３６とトップテーブル８間の空間にクッション材４５を充填するだけで取り付けることが出来るため、生産コストを極力抑えて、トップテーブル８からの荷重や衝撃を効果的に吸収することができる。これにより、トップテーブル８の撓みや打痕が生じる不都合を解消、若しくは、極力回避することができるようになる。
【００２７】
また、クッション材４５を発泡ポリウレタン等の断熱材にて構成しているので、トップテーブル８上に載せられたものの熱が冷却器箱体３６に影響し難くなるので、冷却器箱体３６内の冷却器１２の冷却効率の改善を図ることができる。
【００２８】
更に、クッション材４５の厚さは、冷却器箱体３６とトップテーブル８間の空間の高さ方向の寸法より大きいものとしたので、衝撃吸収性や断熱性をより一層向上させることができるようになる。
【００２９】
以上の構成で圧縮機２３及び送風機１３が運転されると、冷却器１２と熱交換した冷気は送風機１３より吹き出され、延在部１４Ａ内の吐出ダクト１９を経て図２中矢印の如く各吹出口１６及び吐出口２１から貯蔵室６内に吐出される。そして、貯蔵室６内を循環して冷却した後、吸込口１７から吸込ダクト２６には入り、冷却室１１に帰還する。これによって、貯蔵室６に収納された食品は所定の温度に冷却保存される。
【図面の簡単な説明】
【００３０】
【図１】本発明を適用した冷却貯蔵庫の正面図である。
【図２】図１の冷却貯蔵庫の縦断正面図である。
【図３】図１の冷却貯蔵庫の冷却器箱体とトップテーブル間に介設されたクッション材の拡大図である。
【図４】図３のクッション材の平面図である。
【図５】図３のクッション材の側面図である。
【図６】図３のクッション材の正面図である。
【図７】従来の冷却貯蔵庫の冷却器箱体とトップテーブル間に介設された断熱板の拡大図である。
【図８】図７の断熱板の平面図である。
【図９】図７の断熱板の側面図である。
【図１０】図７の断熱板の正面図である。
【符号の説明】
【００３１】
１  冷却貯蔵庫
４  断熱箱体
６  貯蔵室
８  トップテーブル
１１  冷却室
１２  冷却器
１３  送風機
１４  ダクト板
１４Ａ  延在部
１９  吐出ダクト
２１  吐出口
２２  機械室
３６  冷却器箱体
４５  クッション材
【図１】
2005156118.tif 000003
【図２】
2005156118.tif 000004
【図３】
2005156118.tif 000005
【図４】
2005156118.tif 000006
【図５】
2005156118.tif 000007
【図６】
2005156118.tif 000008
【図７】
2005156118.tif 000009
【図８】
2005156118.tif 000010
【図９】
2005156118.tif 000011
【図１０】
2005156118.tif 000012